(57)【要約】【課題】無線通信の不能期間を減少させた基地局システムを提供する。【解決手段】基地局システム１は、複数のＢＢＵ１０と、当該ＢＢＵ１０よりも少ない数のＲＦＵ２０とを含んでいる。基地局システム１内のＣＰＲＩスイッチ３０は、複数のＢＢＵ１０と複数のＲＦＵ２０とを１対１に論理的に接続し、ＢＢＵ１０及び管理システム１６と、ＲＦＵ２０との間のデータ伝送を可能とする。また、ＣＰＲＩスイッチ３０は、１個のＢＢＵ１０を、何れのＲＦＵ２０とも接続されていない予備ＢＢＵ１０に設定する。【選択図】図２
2012147193.tif 000002
【特許請求の範囲】
【請求項１】
複数の無線部と、複数の無線制御部とを有する基地局システムであって、
前記無線部と、前記無線制御部との接続を切り替えるスイッチ部を備える基地局システム。
【請求項２】
前記無線部に未接続の予備の無線制御部を少なくとも１つ待機させる請求項１に記載の基地局システム。
【請求項３】
前記スイッチ部は、所定の無線部が接続されている前記無線制御部に障害が発生した場合に、前記所定の無線部と前記予備無線制御部とを論理的に接続する請求項１又は２に記載の基地局システム。
【請求項４】
前記スイッチ部は、ユーザデータの伝送のための論理的な接続を行う請求項１又は２に記載の基地局システム。
【請求項５】
前記スイッチ部は、制御データ及び管理データの伝送のための論理的な接続とを行う請求項１又は２に記載の基地局システム。
【発明の詳細な説明】
【技術分野】
【０００１】
本発明は、複数の無線部と、複数の無線制御部とを有する基地局システムに関する。
【背景技術】
【０００２】
３ＧＰＰ（Third Generation Partnership Project）において、規格が策定されたＬＴＥ（Long Term Evolution）等の基地局システムでは、無線基地局（ＬＴＥ基地局）は、ベースバンド周波数での処理を行うＢＢＵ（Base Band Unit）と、無線周波数での処理を行うＲＦＵ（Radio Frequency Unit）により構成される。ＢＢＵとＲＦＵとは、ＣＰＲＩ（Common Public Radio Interface）のインタフェースによって接続される（例えば、特許文献１参照）。また、ＬＴＥ基地局の設置形態として、ＢＢＵとＲＦＵとが光張り出し方式によって遠隔に接続される場合がある。
【先行技術文献】
【特許文献】
【０００３】
【特許文献１】特開２０１０−２２６４６０号公報
【発明の概要】
【発明が解決しようとする課題】
【０００４】
上述したＬＴＥ基地局において、ＢＢＵに障害が発生した場合、当該ＢＢＵが復旧するまで、ＲＦＵは稼動することができない。このため、ＲＦＵに対応する無線通信エリア内の無線端末は、無線通信を行うことができなくなる。
【０００５】
また、上述したＢＢＵおよびＲＦＵを含む通信装置の設置のための場所を確保する都合上、通信会社または回線管理会社の局舎に集中的にＢＢＵを配置し、局舎外部に設置されたＲＦＵとＢＢＵとを光張り出し方式で接続することが好ましい形態もある。
【０００６】
上記の点に鑑み、本発明は、無線部と無線制御部との効率的な接続を行うことができる基地局システムを提供することを目的とする。
【課題を解決するための手段】
【０００７】
上述した課題を解決するために、本発明は以下のような特徴を有している。
【０００８】
本発明の特徴は、複数の無線部（ＲＦＵ２０）と、複数の無線制御部（ＢＢＵ１０）とを有する基地局システム（基地局システム１）であって、前記無線部と、前記無線制御部との接続を切り替えるスイッチ部（ＣＰＲＩスイッチ３０）を備えることを要旨とする。
【０００９】
このような基地局システムは、スイッチ部が、複数の無線部と複数の無線制御部との論理的な接続を適宜行うことができる。このため、無線部と無線制御部との効率的な接続ができる。
【００１０】
本発明の特徴は、前記無線部に未接続の予備の無線制御部を少なくとも１つ待機させることを要旨とする。
【００１１】
この場合、無線制御部が障害等によって稼動しなくなった場合に、スイッチ部の接続制御によって、稼動しなくなった無線制御部に接続されている無線部を、予備の無線制御部に接続させることで、無線通信の不能期間を減少できる。
【００１２】
本発明の特徴は、前記スイッチ部は、所定の無線部が接続されている前記無線制御部に障害が発生した場合に、前記所定の無線部と前記予備無線制御部とを論理的に接続することを要旨とする。
【００１３】
本発明の特徴は、前記スイッチ部は、ユーザデータの伝送のための論理的な接続を行うことを要旨とする。
【００１４】
本発明の特徴は、前記スイッチ部は、制御データ及び管理データの伝送のための論理的な接続とを行うことを要旨とする。
【発明の効果】
【００１５】
本発明によれば、無線部と無線制御部との効率的な接続を行うことができる。
【図面の簡単な説明】
【００１６】
【図１】本発明の実施形態に係る基地局システムの全体概略構成図である。
【図２】本発明の実施形態に係るＣＰＲＩスイッチの構成図である。
【図３】本発明の実施形態に係るスイッチ設定情報の第１の例を示す図である。
【図４】本発明の実施形態に係るＣＰＲＩフレームの構造を示す図である。
【図５】本発明の実施形態に係るスイッチ設定情報の第２の例を示す図である。
【図６】本発明の実施形態に係るＣＰＲＩスイッチの動作を示すフローチャートである。
【発明を実施するための形態】
【００１７】
次に、図面を参照して、本発明の実施形態を説明する。具体的には、基地局システムの構成、ＣＰＲＩスイッチの動作、作用・効果、その他の実施形態について説明する。以下の実施形態における図面の記載において、同一又は類似の部分には同一又は類似の符号を付している。
【００１８】
（１）基地局システムの構成
図１は、本実施形態に係る基地局システムの概略構成図である。本実施形態では、基地局システム１は、ＬＴＥ技術を用いて構成されている。図１に示す基地局システム１は、ＢＢ（Base Band）モジュール１５、管理システム１６、ｎ個のＲＦＵ（Radio Frequency Unit）２０−１乃至ＲＦＵ２０−ｎ（以下、ＲＦＵ２０−１乃至ＲＦＵ２０−ｎをまとめて、適宜ＲＦＵ２０と称する）、ＣＰＲＩ（Common Public Radio Interface）スイッチ３０、ＷＤＭ（Wavelength Division Multiplexing）による多重化伝送を行う光通信ネットワーク４０、光ファイバ等の通信回線４１とを含む。
【００１９】
本実施形態において、ＢＢモジュール１５、管理システム１６及びＣＰＲＩスイッチ３０は、通信会社や回線管理会社の局舎内に設置される。一方、ＲＦＵ２０−１乃至ＲＦＵ２０−ｎは、ＢＢモジュール１５の遠隔地に設置され、光張り出し方式により、光通信ネットワーク４０を介してＣＰＲＩスイッチ３０に接続される。
【００２０】
ＢＢモジュール１５は、ｎ＋１個のＢＢＵ（Base Band Unit）１０−１乃至ＢＢＵ１０−ｎ＋１（以下、ＢＢＵ１０−１乃至ＢＢＵ１０−ｎ＋１をまとめて、適宜ＢＢＵ１０と称する。）を含む。本実施形態において、ＢＢＵ１０の数は、ＲＦＵ２０の数より１個多い。
【００２１】
ＢＢＵ１０は、ベースバンド周波数帯の処理を行う。具体的には、ＢＢＵ１０は、図示しないＳ−ＧＷ（Serving-Gate Way）からのユーザデータを受信し、ベースバンド周波数信号であるＩＱデータを生成する。更に、ＢＢＵ１０は、ＩＱデータをＣＰＲＩスイッチ３０へ送信する。ＩＱデータは、送信元のＢＢＵ１０の識別情報（例えばＩＰアドレス）が付与されている。また、ＢＢＵ１０は、ＣＰＲＩスイッチ３０からのＩＱデータを受信し、ユーザデータを生成する。ＩＱデータは、送信先のＢＢＵ１０の識別情報（例えばＩＰアドレス）が付与されている。
【００２２】
管理システム１６は、制御管理（Ｃ＆Ｍ：Control & Management）データを、ＣＰＲＩスイッチ３０へ送信する。Ｃ＆Ｍデータには、送信先となるＲＦＵ２０の識別情報（例えばＩＰアドレス）が付与されている。
【００２３】
ＲＦＵ２０は、無線周波数帯の処理を行う。具体的には、ＲＦＵ２０は、ＢＢＵ１０が送信するＩＱデータや、管理システム１６が送信するＣ＆Ｍデータを変換して得られるＣＰＲＩフレームを、ＣＰＲＩスイッチ３０を介して受信する。更に、ＲＦＵ２０は、ＣＰＲＩフレームからＩＱデータやＣ＆Ｍデータを取得し、無線周波数帯の信号に変調した後、図示しない無線端末（ＵＥ）へ無線通信により送信する。
【００２４】
また、ＲＦＵ２０は、ＵＥからの無線周波数帯の信号を受信する。更にＲＦＵ２０は、受信した無線周波数帯の信号をベースバンド周波数帯の信号に変換してＩＱデータを取得する。更に、ＲＦＵ２０は、ＩＱデータをＣＰＲＩフレームに変換して、ＣＰＲＩスイッチ３０へ送信する。
【００２５】
ＣＰＲＩスイッチ３０は、ＢＢＵ１０−１乃至ＢＢＵ１０−ｎ＋１と、ＲＦＵ２０−１乃至ＲＦＵ２０−ｎとの論理的な接続を切り替える。なお、ＣＰＲＩスイッチ３０は、ＢＢＵ１０−１乃至ＢＢＵ１０−ｎ＋１と、ＲＦＵ２０−１乃至ＲＦＵ２０−ｎとの物理的な接続を切り替えてもよい。
【００２６】
図２は、ＣＰＲＩスイッチ３０の構成を示す図である。図２に示すＣＰＲＩスイッチ３０は、通信制御部３１、メモリ３２、ネットワーク３３、バッファ３４−１乃至バッファ３４−ｎ（以下、バッファ３４−１乃至バッファ３４−ｎをまとめて、適宜バッファ３４と称する。）、ＣＰＲＩポート３５−１乃至ＣＰＲＩポート３５−ｎ（以下、ＣＰＲＩポート３５−１乃至ＣＰＲＩポート３５−ｎをまとめて、適宜ＣＰＲＩポート３４と称する。）を含む。バッファ３４−１乃至バッファ３４−ｎと、ＣＰＲＩポート３５−１乃至ＣＰＲＩポート３５−ｎとは、ＲＦＵ２０−１乃至ＲＦＵ２０−ｎと１対１に対応する。
【００２７】
ＣＰＲＩスイッチ３０とＢＢモジュール１５とは、単一の通信回線４１により接続される。
【００２８】
通信制御部３１は、例えば、ＣＰＵにより構成される。通信制御部３１は、ＢＢＵ１０と、ＲＦＵ２０とを１対１に論理的に接続する。具体的には、通信制御部３１は、論理的な接続の組み合わせであるＢＢＵ１０の識別情報とＲＦＵ２０に識別情報とを対応付けた接続設定情報を生成する。
【００２９】
図３は、接続設定情報の第１の例である。図３に示す接続設定情報は、例えば、ＢＢＵ１０−１の識別情報とＲＦＵ２０−１の識別情報とを対応付けている。この対応付けは、ＢＢＵ１０−１とＲＦＵ２０−１とが論理的に接続されることを示す。なお、ＢＢＵ１０とＲＦＵ２０との接続は、１つの通信会社が所有するＢＢＵ１０とＲＦＵ２０との接続とは限らず、複数の通信会社がＢＢＵ１０とＲＦＵ２０とを分け合って使用する場合のＢＢＵ１０とＲＦＵ２０との接続である場合もある。
【００３０】
本実施形態では、ＢＢＵ１０の数は、ＲＦＵ２０の数より１個多い。このため、ＣＰＲＩスイッチ３０は、ＢＢＵ１０とＲＦＵ２０とを１対１に論理的に接続するとともに、１個のＢＢＵ１０を何れのＲＦＵ２０とも接続されていない状態とする。この何れのＲＦＵ２０とも接続されていないＢＢＵ１０は、予備ＢＢＵ１０となる。
【００３１】
図３においては、ＢＢＵ１０−ｎ＋１は、接続相手となるＲＦＵ２０が存在せず、予備ＢＢＵ１０となる。通信制御部３１は、生成した接続設定情報をメモリ３２に記憶させる。
【００３２】
また、通信制御部３１は、ＢＢＵ１０−１乃至ＢＢＵ１０−ｎ＋１のうち、ＲＦＵ２０と論理的に接続しているＢＢＵ１０を監視する。例えば、通信制御部３１は、所定の周期でＢＢＵ１０に対し、監視用の信号を送信する。ＢＢＵ１０は、監視用の信号を受信した場合、応答信号を返信する。通信制御部３１は、応答信号を受信した場合には、対応するＢＢＵ１０が正常であると判断し、応答信号を受信しない場合には、対応するＢＢＵ１０に障害が発生したと判断する。
【００３３】
ＢＢＵ１０に障害が発生した場合、通信制御部３１は、障害が発生したＢＢＵ１０と論理的に接続しているＲＦＵ２０の接続相手を、予備ＢＢＵ１０に切り替える。
【００３４】
具体的には、通信制御部３１は、メモリ３２に記憶されている接続設定情報のうち、障害が発生したＢＢＵ１０の識別情報を含む接続設定情報を判別し、当該接続設定情報に含まれるＲＦＵ２０の識別情報を削除する。更に、通信制御部３１は、削除したＲＦＵ２０の識別情報と、予備ＢＢＵ１０の識別情報とを対応付けた新たな接続設定情報を生成し、メモリ３２に記憶させる。
【００３５】
図５は、接続設定情報の第２の例である。当初、図３に示す接続設定情報がメモリ３２に記憶されている状態において、ＢＢＵ１０−３に障害が発生したものとする。この場合、通信制御部３１は、ＢＢＵ１０−３の識別情報を含む接続設定情報を判別し、当該接続設定情報に含まれるＲＦＵ２０−３の識別情報を削除する。更に、通信制御部３１は、削除したＲＦＵ２０−３の識別情報と予備ＢＢＵ１０−ｎ＋１の識別情報とを対応付けた新たな接続設定情報を生成する。これにより、接続設定情報は、図３に示すものから図５に示すものに更新される。
【００３６】
ＢＢＵ１０からＲＦＵ２０へのデータ伝送が行われる場合には、ＣＰＲＩスイッチ３０は、以下の第１の処理を行い、ＲＦＵ２０からＢＢＵ１０へのデータ伝送が行われる場合には、以下の第２の処理を行う。
【００３７】
（第１の処理）
通信制御部３１は、ＢＢＵ１０−１乃至ＢＢＵ１０−ｎ＋１からのＩＱデータ（下りＩＱデータ）を受信する。通信制御部３１は、下りＩＱデータに付与されている送信元のＢＢＵ１０の識別情報を抽出する。通信制御部３１は、メモリ３２に記憶された接続設定情報のうち、抽出した送信元のＢＢＵ１０の識別情報を含んだ接続設定情報からＲＦＵ２０の識別情報を読み出す。読み出されたＲＦＵ２０の識別情報は、下りＩＱデータの送信先のＲＦＵ２０の識別情報である。
【００３８】
次に、通信制御部３１は、下りＩＱデータをＣＰＲＩフレーム（下りＣＰＲＩフレーム）に変換する。図４は、ＣＰＲＩのプロトコルを示す図である。図４に示すように、ＣＰＲＩのプロトコルは、レイヤ１において電気信号伝送（Electrical Transmission）、光信号伝送（Optical Transmission）及び時分割多重（Time Division Multiplexing）について規定している。また、レイヤ２において、ＩＱデータ、Ｖｅｎｄｅｒ  Ｓｐｅｃｉｆｉｃ、Ｅｔｈｅｒｎｅｔ（登録商標）、ＨＤＬＣ、Ｌ１  Ｉｎｂａｎｄ  Ｐｒｏｔｏｃｏｌについて規定している。
【００３９】
通信制御部３１は、読み出したＲＦＵ２０の識別情報によって判別されるＲＦＵ２０に対応するバッファ３４へ下りＣＰＲＩフレームを記憶させる。
【００４０】
通信制御部３１は、管理システム１６からのＣ＆Ｍデータを受信する。通信制御部３１は、Ｃ＆Ｍデータに付与されている送信先のＲＦＵ２０の識別情報を抽出する。次に、通信制御部３１は、Ｃ＆ＭデータをＣＰＲＩフレーム（下りＣＰＲＩフレーム）に変換する。通信制御部３１は、抽出したＲＦＵ２０の識別情報によって判別されるＲＦＵ２０に対応するバッファ３４へ下りＣＰＲＩフレームを記憶させる。
【００４１】
通信制御部３１は、バッファ３４に記憶された下りＣＰＲＩフレームを、所定のタイミングで、ＣＰＲＩポート３５、光通信ネットワーク４０を介して、ＲＦＵ４０へ送信する。
【００４２】
（第２の処理）
通信制御部３１は、ＲＦＵ２０から光通信ネットワーク４０及びＣＰＲＩポート３５を介して送信されるＣＰＲＩフレーム（上りＣＰＲＩフレーム）を、対応するバッファ３４に記憶させる。その後、通信制御部３１は、所定のタイミングでバッファ３４に記憶された上りＣＰＲＩフレームを読み出す。次に、通信制御部３１は、上りＣＰＲＩフレームを、ＩＱデータ（上りＩＱデータ）に変換する。
【００４３】
次に、通信制御部３１は、上りＩＱデータに含まれる、送信先のＢＢＵ１０の識別情報に基づいて、上りＩＱデータの送信先を判別する。更に、通信制御部３１は、送信先のＢＢＵ１０へ上りＩＱデータを送信する。
【００４４】
（２）ＣＰＲＩスイッチの動作
図６は、ＣＰＲＩスイッチ３０の動作を示すフローチャートである。
【００４５】
ステップＳ１０１において、ＣＰＲＩスイッチ３０は、ＢＢＵ１０とＲＦＵ２０とを１対１に論理的に接続する。この際、ＣＰＲＩスイッチ３０は、１個のＢＢＵ１０を予備ＢＢＵ１０に設定する。
【００４６】
ステップＳ１０２において、ＣＰＲＩスイッチ３０は、ＢＢＵ１０からの下りＩＱデータと、管理システム１６からのＣ＆Ｍデータを受信する。
【００４７】
ステップＳ１０３において、ＣＰＲＩスイッチ３０は、受信した下りＩＱデータと、Ｃ＆Ｍデータとを、下りＣＰＲＩフレームに変換する。
【００４８】
ステップＳ１０４において、ＣＰＲＩスイッチ３０は、下りＣＰＲＩフレームを、送信先のＲＦＵ２０に対応するバッファ３４に記憶させる。
【００４９】
ステップＳ１０５において、ＣＰＲＩスイッチ３０は、バッファ３４に記憶された下りＣＰＲＩフレームを、送信先のＲＦＵ２０へ送信する。
【００５０】
ステップＳ１０２乃至ステップＳ１０５の動作と並行して、ステップＳ１０６乃至ステップＳ１０９の動作が行われる。
【００５１】
ステップＳ１０６において、ＣＰＲＩスイッチ３０は、ＲＦＵ２０からの上りＣＰＲＩフレームを受信する。
【００５２】
ステップＳ１０７において、ＣＰＲＩスイッチ３０は、上りＣＰＲＩフレームを、送信元のＲＦＵ２０に対応するバッファ３４に記憶させる。
【００５３】
ステップＳ１０８において、ＣＰＲＩスイッチ３０は、バッファ３４に記憶された上りＣＰＲＩフレームを、上りＩＱデータに変換する。
【００５４】
ステップＳ１０９において、ＣＰＲＩスイッチ３０は、上りＩＱデータを、送信先のＢＢＵ１０へ送信する。
【００５５】
ステップＳ１０５の動作又はステップＳ１０９の動作の後、ステップＳ１１０において、ＣＰＲＩスイッチ３０は、ＲＦＵ２０と論理的に接続しているＢＢＵ１０に障害が発生したか否かを判定する。
【００５６】
ＲＦＵ２０と論理的に接続しているＢＢＵ１０に障害が発生していない場合には、ステップＳ１０２における、下りＩＱデータ及びＣ＆Ｍデータの受信以降の動作と、ステップＳ１０６における上りＣＰＲＩフレームの受信以降の動作が繰り返される。
【００５７】
一方、ＲＦＵ２０と論理的に接続しているＢＢＵ１０に障害が発生した場合には、ＣＰＲＩスイッチ３０は、障害が発生したＢＢＵ１０に接続されているＲＦＵ２０と、予備ＢＢＵ１０とを論理的に接続させる。その後、ステップＳ１０２以降の動作と、ステップＳ１０６以降の動作とが繰り返される。
【００５８】
（３）作用・効果
本実施形態において、基地局システム１は、複数のＢＢＵ１０と、当該ＢＢＵ１０よりも少ない数のＲＦＵ２０とを含んでいる。基地局システム１内のＣＰＲＩスイッチ３０は、複数のＢＢＵ１０と複数のＲＦＵ２０とを１対１に論理的に接続し、ＢＢＵ１０及び管理システム１６と、ＲＦＵ２０との間のデータ伝送を可能とする。また、ＣＰＲＩスイッチ３０は、１個のＢＢＵ１０を、何れのＲＦＵ２０とも接続されていない予備ＢＢＵ１０に設定する。
【００５９】
更に、ＲＦＵ２０と接続されているＢＢＵ１０に障害が発生した場合、ＣＰＲＩスイッチ３０は、障害が発生したＢＢＵ１０に接続されているＲＦＵ２０と、予備ＢＢＵ１０とを接続する。
【００６０】
このため、ＢＢＵ１０が障害によって稼動しなくなった場合において、ＲＦＵ２０とＵＥとの間の無線通信の不能期間を減少できる。
【００６１】
また、ＲＦＵ２０と論理的に接続している複数のＢＢＵ１０に対して、１個の予備ＢＢＵ１０が用意されることにより、ＲＦＵ２０と論理的に接続しているＢＢＵ１０と予備ＢＢＵ１０とを１対１の比率で用意される場合と比較して、コストを低減できる。
【００６２】
また、複数のＢＢＵ１０がＢＢモジュール１５となって１箇所に設置されるため、メンテナンスのコストが低減される。また、複数のＢＢＵ１０が集約されることにより、設置場所の確保が容易となるとともに、設置に伴うコストが低減される。
【００６３】
また、複数のＢＢＵ１０からなるＢＢモジュール１５と、ＣＰＲＩスイッチ３０とが単一の通信回線４１によって接続されているため、回線コストが軽減される。
【００６４】
また、ＣＰＲＩスイッチ３０は、管理システム１６からのＣ＆Ｍデータについても、ＣＰＲＩフレームに変換して、各ＲＦＵ２０へ送信するため、管理システム１６と各ＲＦＵ２０とが直接にＩＰレイヤでの通信を行うことができ、管理プロトコルを使用してＲＦＵ２０を監視することができる。
【００６５】
（４）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００６６】
上述した実施形態では、複数のＢＢＵ１０によってＢＢモジュール１５が構成され、ＢＢＵ１０のうちの１個が予備ＢＢＵ１０となる場合を説明した。しかし、ＢＢモジュール１５の構成や予備ＢＢＵ１０の比率はこれに限定されない。
【００６７】
例えば、１つのセルが６つのセクタによって構成される場合には、７個のＢＢＵ１０によってＢＢモジュール１５が構成され、７個のＢＢＵ１０のうちの１個を予備ＢＢＵ１０としてもよい。また、１つのセルが３つのセクタによって構成される場合には、４個のＢＢＵ１０によってＢＢモジュール１５が構成され、４個のＢＢＵ１０のうちの１個を予備ＢＢＵ１０としてもよい。
【００６８】
また、上述した実施形態では、ＬＴＥの基地局システム１について説明したが、無線制御部と、無線部とがＣＰＲＩのインタフェースによって接続される基地局システムであれば、同様に本発明を適用することができる。
【００６９】
このように本発明は、ここでは記載していない様々な実施形態等を包含するということを理解すべきである。したがって、本発明はこの開示から妥当な特許請求の範囲の発明特定事項によってのみ限定されるものである。
【産業上の利用可能性】
【００７０】
本発明の基地局システムは、無線通信の不能期間を減少でき、基地局システムとして有用である。
【符号の説明】
【００７１】
１…基地局システム、１０−１乃至１０−ｎ＋１…ＢＢＵ、１５…ＢＢモジュール、１６…管理システム、２０−１乃至２０−ｎ…ＲＦＵ、３０…ＣＰＲＩスイッチ、３１…通信制御部、３２…メモリ、３３…ネットワーク、３４−１乃至３４−ｎ…バッファ、３５−１乃至３５−ｎ…ＣＰＲＩポート、４０…光通信ネットワーク、４１…通信回線
【図１】
2012147193.tif 000003
【図２】
2012147193.tif 000004
【図３】
2012147193.tif 000005
【図４】
2012147193.tif 000006
【図５】
2012147193.tif 000007
【図６】
2012147193.tif 000008